【事件の表示】
　特願２００２−５４２９６８「コンピュータネットワークにおいて反復オーダーを管理するシステム及び方法」拒絶査定不服審判事件〔平成１４年　５月２３日国際公開、ＷＯ０２／４１１０６、平成１６年　５月１３日国内公表、特表２００４−５１４２０９〕について、次のとおり審決する。
【結　論】
　本件審判の請求は、成り立たない。
【理　由】
１．手続きの経緯　
　
　本願は、２００１年１１月１６日（パリ条約による優先権主張外国庁受理２０００年１１月１６日、米国）を国際出願日とする出願であって、平成１９年　１月３１日付けで拒絶理由が通知され、これに対し、同年　８月　６日付けで手続補正書が提出されたが、同年　８月３０日付けで拒絶査定がされたのに対し、同年１２月　３日付けで拒絶査定不服審判が請求されると共に、平成２０年　１月　４日付けで手続補正書が提出されたものである。 
　
２．平成２０年　１月　４日付けでした手続補正についての補正却下の決定
　
［補正却下の決定の結論]
　
　平成２０年　１月　４日付けでした手続補正を却下する。
　
［理由］
　
（１）平成２０年　１月　４日付けでした手続補正の内容について
　
　平成１９年　８月　６日付けでした手続補正により補正された特許請求の範囲は、平成２０年　１月　４日付けでした手続補正（以下、「本件補正」という。）により、以下のとおり補正された。
　
＜＜本件補正前の特許請求の範囲＞＞
　
「　　【請求項１】　ネットワークを経て行われる電子商取引を容易にするための方法であって、上記ネットワークがリモートクライアントコンピュータに配置されたブラウザシステムと上記ネットワークを介して通信することのできる少なくとも１つのサーバーコンピュータを備え、上記少なくとも１つのサーバーコンピュータがプロフィール発生器を有する反復オーダー管理システムを実施している方法において、
　（ａ）上記少なくとも１つのサーバーコンピュータが、１つのオーダーを表すデータを含む要求を受け取る段階を備え、上記オーダーは、複数の製品又はサービスのうちの１つ以上の製品又はサービスの識別子と、該１つ以上の製品又はサービスの各々に対するオーダー反復パターンと、上記１つ以上の製品又はサービスの各々の量とを含み、上記複数の製品又はサービスは、上記ネットワークを介してアクセス可能な１つのウェブサイトの複数の電子商取引システム製品又はサービスのウェブファイルのそれぞれ１つを介して売買され、上記オーダーは、更に、少なくとも１つのコンテンツを定めた想起メッセージのための想起仕様を表すデータを含み、そして
　（ｂ）上記プロフィール発生器が、上記要求の受け取りに応答して、プロフィールデータ構造体を発生する段階を更に備え、上記プロフィールデータ構造体は、上記オーダーを表すデータを含み、上記少なくとも１つのサーバーコンピュータが、上記オーダーを上記オーダー反復パターンに基づき自動的に１回以上反復させ、各反復によって上記オーダーが遂行され、上記少なくとも１つのサーバーコンピュータが、上記想起メッセージを上記想起仕様に基づいて自動的に１回以上送信する
ことを特徴とする方法。
　　【請求項２】　上記オーダー反復パターンは、反復インターバルを表すデータを更に含み、上記反復インターバルが経過したときに上記少なくとも１つのサーバーコンピュータが、上記オーダーを反復させてそれによりオーダーを遂行する請求項１に記載の方法。
　　【請求項３】　（ｃ）上記発生する段階の前に上記サーバーコンピュータが上記受け取ったオーダーの受け入れを確認する段階を更に備えた請求項１に記載の方法。
　　【請求項４】　上記複数の製品又はサービスは、多レベルのマーケッティングシステ
ムによって提供される請求項１に記載の方法。
　　【請求項５】　（ｃ）上記少なくとも１つのサーバーコンピュータが上記オーダーを反復させるのに応答して、上記プロフィールの上記１つ以上の製品又はサービスの識別子及びそれらの量に基づいてユーザに対して上記オーダーを遂行する段階を更に含む請求項１に記載の方法。
　　【請求項６】　（ｃ）上記少なくとも１つのサーバーコンピュータが、上記オーダーのその後の反復の遂行の分布を実質的に等化するために上記量対上記オーダー反復パターンをバランスさせる段階を更に備えた請求項１に記載の方法。
　　【請求項７】　上記バランスさせる段階は、上記オーダーの反復当りのコストの分布を実質的に等化する請求項６に記載の方法。
　　【請求項８】　上記バランスさせる段階は、上記オーダーの反復当りの報奨補償の分布を実質的に等化する請求項６に記載の方法。
　　【請求項９】　上記１つ以上の製品又はサービスは、製品又はサービスの１つ以上の予め定められたグループより成る請求項１に記載の方法。
　　【請求項１０】　（ｄ）上記少なくとも１つのサーバーコンピュータが上記プロフィールに対する１つ以上の修正を表すデータ受け取り、そして
　（ｅ）上記少なくとも１つのサーバーコンピュータが上記１つ以上の修正に基づいて上記プロフィールを変更する、
という段階を更に備えた請求項１に記載の方法。」
　
＜＜本件補正後の特許請求の範囲＞＞
　
「　　【請求項１】　ネットワーク（１０５）を経て行われる電子商取引を容易にするための方法であって、上記ネットワークがユーザのリモートクライアントコンピュータ（１０２）に配置されたブラウザシステムと上記ネットワークを介して通信することのできる少なくとも１つのサーバーコンピュータを備え、上記少なくとも１つのサーバーコンピュータが、プロフィール発生器（２０２）、プロフィールデータベース（２０６）及びオーダー／想起情報発生器（２０８）を有する反復オーダー管理システム（１０８）を実施している方法において、
　（ａ）上記少なくとも１つのサーバーコンピュータが、上記ブラウザシステムを介して上記ユーザから１つのオーダーを表すデータを含む要求を受け取る段階を備え、
　上記オーダーは、複数の製品又はサービスのうちの１つ以上の製品又はサービスの識別子と、該１つ以上の製品又はサービスの各々に対するオーダー反復パターンと、上記１つ以上の製品又はサービスの各々の量とを含み、上記複数の製品又はサービスは、上記ネットワークを介してアクセス可能な１つのウェブサイトの複数の電子商取引システム製品又はサービスのウェブファイルのそれぞれ１つを介して売買され、上記オーダーは、更に、少なくとも１つのコンテンツを定めた想起メッセージのための想起仕様を表すデータを含み、
　（ｂ）上記プロフィール発生器（２０２）が、上記ユーザの要求からプロフィールデータ構造体（２１０）を発生するのに必要な情報を抽出する段階を備え、
　（ｃ）上記プロフィール発生器（２０２）が、上記抽出した情報とプロフィール発生器のデータベース（４０８、５０４、６０６）に保持されているデータからプロフィールデータ構造体を発生する段階を備え、
　（ｄ）上記プロフィールデータベース（２０６）が、上記発生したプロフィールデータ構造体を記憶する段階を含み、
　（ｅ）上記オーダー／想起情報発生器（２０８）が、上記プロフィールデータベース（２０６）に記憶されたプロフィールデータ構造体を周期的に走査し、各反復オーダーの度に上記オーダーの遂行要求を１つ以上の遂行エンティティ（１１０Ａ、１１０Ｂ）に送信することによって上記オーダー反復パターンに基づき上記オーダーを自動的に１回以上反復する段階を含み、
　（ｆ）上記オーダー／想起情報発生器（２０８）が、上記プロフィールデータベース（２０６）に記憶されたプロフィールデータ構造体を周期的に走査し、上記想起メッセージを上記想起仕様に基づいて自動的に１回以上上記ユーザへ送信する段階を備える、
ことを特徴とする方法。
　　【請求項２】　上記オーダー反復パターンは、反復インターバルを表すデータを更に含み、上記反復インターバルが経過したときに上記オーダー／想起情報発生器（２０８）が、上記オーダーの遂行要求を遂行エンティティ（１１０Ａ、１１０Ｂ）に送信することよって上記オーダーを自動的に１回以上反復する請求項１に記載の方法。
　　【請求項３】　（ｇ）上記発生する段階の前に上記プロフィール発生器（２０２）が上記受け取ったオーダーの受け入れを確認する段階を更に備えた請求項１に記載の方法。
　　【請求項４】　上記複数の製品又はサービスは、多レベルのマーケッティングシステムによって提供される請求項１に記載の方法。
　　【請求項５】　（ｇ）上記オーダー／想起情報発生器（２０８）が、上記オーダーの遂行要求を遂行エンティティ（１１０Ａ、１１０Ｂ）に送信するのに応答して、上記遂行エンティティ（１１０Ａ、１１０Ｂ）が上記プロフィールの上記１つ以上の製品又はサービスの識別子及びそれらの量に基づいて上記ユーザに対して上記オーダーを遂行する段階を更に含む請求項１に記載の方法。
　　【請求項６】　（ｇ）上記プロフィール発生器（２０２）が、上記オーダーのその後の反復の遂行の分布を実質的に等化するために上記量を修正する段階を更に備えた請求項１に記載の方法。
　　【請求項７】　上記修正する段階は、上記オーダーの反復当りのコストの分布を実質的に等化する請求項６に記載の方法。
　　【請求項８】　上記修正する段階は、上記オーダーの反復当りの報奨補償の分布を実質的に等化する請求項６に記載の方法。
　　【請求項９】　上記１つ以上の製品又はサービスは、製品又はサービスの１つ以上の予め定められたグループより成る請求項１に記載の方法。
　　【請求項１０】　（ｇ）上記プロフィール発生器（２０２）が上記プロフィールに対する１つ以上の修正を表すデータを受け取り、そして
　（ｈ）上記プロフィール発生器（２０２）が上記１つ以上の修正に基づいて上記プロフィールを変更する、
という段階を更に備えた請求項１に記載の方法。」
　
（２）本件補正前後の請求項の対応関係について
　
　本件補正前の請求項１乃至１０に係る発明は「反復オーダー管理システムを実施している方法」の発明であり、本件補正後の請求項１乃至１０に係る発明は「反復オーダー管理システムを実施している方法」の発明である。
　
　なお、審判請求書の請求の理由の項目を補正の対象とした平成２０年　２月１４日付け手続補正書を参酌すると、審判請求人は、以下のとおり、本件補正前後の請求項の対応関係を説明している。
　
「（ロ）補正の根拠の明示
　平成２０年１月４日付け手続補正書における特許請求の範囲の補正によれば、上記拒絶査定書の備考に記載された（ｂ）〜（ｄ）の事項に対処して、特許請求の範囲の請求項１〜１０を補正している。特に、（ｂ）の事項に対処して、独立請求項１を補正すると共にその補正に応じて従属請求項を補正している。さらに、（ｃ）の事項に対処して、従属請求項６を補正している。」
　
　してみると、本件補正後の請求項１乃至１０の「反復オーダー管理システムを実施している方法」に係る発明は、本件補正前の請求項１乃至１０の「反復オーダー管理システムを実施している方法」に係る発明にそれぞれ対応する。
　
（３）補正の目的
　
　本件補正後の請求項１の「反復オーダー管理システムを実施している方法」に係る発明は、少なくとも、本件補正前の請求項１の「プロフィール発生器」が行う処理として、「上記抽出した情報とプロフィール発生器のデータベース（４０８、５０４、６０６）に保持されているデータからプロフィールデータ構造体を発生する段階」という処理を付加したものと認められ、当該「プロフィール発生器のデータベース（４０８、５０４、６０６）に保持されているデータ」も用いる当該処理は、消費者に対してプロフィールデータ構造体を発生するのに必要な情報を示唆するという新たな課題を解決しようとする処理であり、このように、新たな課題を解決しようとする処理を付加した補正は、限定的減縮とは認められず、また当該補正が、特許法第１７条の２第４項の各号に掲げられるいずれの事項をも目的としたものでないことは明らかである。
　
（４）補正却下の決定についてのむすび
　
　したがって、本件補正は、平成１４年法律第２４号改正附則第２条第１項によりなお従前の例によるとされる同法による改正前の特許法第１７条の２第４項第２号に掲げられた特許請求の範囲の減縮を目的とするものではなく、また同法同条同項第１号、第３号及び第４号にそれぞれ掲げられる請求項の削除、誤記の訂正及び明りょうでない記載の釈明を目的とするものでもない。
　
　よって、本件補正は、同法第１５９条第１項において読み替えて準用する同法第５３条第１項の規定により却下すべきものである。
　
３．本願発明について
　
（１）本願の請求項１に係る発明
　
　平成２０年　１月　４日付けでした手続補正は、上記のとおり却下されたので、本願の請求項１に記載の発明（以下、「本願発明」という）は、平成１９年　８月　６日付け手続補正書によって補正された特許請求の範囲の請求項１に記載された事項により特定されるとおりのものである。
　
（２）引用文献１に記載の発明
　
　原査定の拒絶理由で引用された国際公開第００／５２５５２号（以下、「引用文献１」という。）には、図面と共に以下の記載がある。なお、下線は当審において付加した。
　
（１ａ）「
System and Method of the Present Invention
　　　
An exemplary embodiment of the present invention is shown generally in Fig.1. As can be seen from Fig. 1, the present invention preferably includes a direct link between a marketing company 100 and an E-Commerce (E-Comm) Web Site 102. The E-Commerce Web Site 102 is preferably served up or displayed to shoppers or users differently, depending upon the membership or registration level or attributes of the shopper or user. 
　　　The invention further preferably includes, for example, but is not limited to a shopping page Web file, which includes the following:My Health (Health 1300), My Home (Home 1210) andMy Self (Self 1400). It should be apparent to one of ordinary skill in the art that each of the Health 1300, Home 1210, and Self 1400 may represent individual shopping page web files associated with the E-Commerce Web Site 102. The present invention is not limited to three such shopping page web files, and other shopping page web files could be included. Such other shopping page web files could be directed to other types of products, such as, but not limited to, travel- related products and sporting equipment. 
　　　Additionally, the marketing system's E-Commerce registered users can visit theMember Perks1600 page web file and explore the number of features described herein available to Members. Preferably, an on-line form associated with the member perks page web file is supplied to a registered Client, Member, Member Plus, and IBO. The registered Client, Member, Member Plus, and IBO enters personal information onto the on-line form. Personal information is preferably stored on a server computer, as will be described in more detail below, for example, with respect to Figs. 16-19 (My Business) and thereafter. This personal information can be used to customize their E-Commerce environment. As used herein,Member Perksand Member BenefitsorMember Servicesmay be used interchangeably and should be construed by one having ordinary skill in the art as analogous terms.」（第４２頁第１７行乃至第４３頁第２０行）
　
（訳：『
本発明のシステム及び方法
　
図１に、本発明の実施の形態が概略的に示されている。本発明は好ましくはマーケテイング会社１００及びＥコマース（Ｅ−Ｃｏｍｍ）ウエブ・サイト１０２の間の直接リンクを含む。Ｅコマース・ウエブ・サイト１０２は、好ましくは会員資格又は買い手又はユーザの登録レベル又は属性に依存して、買い手又はユーザに異なるように表示される。
　本発明は好ましくは、限定的ではなく、以下の「私の健康」（ヘルス１３００）、「私の家」（ホーム１２１０）、及び「私自身」（セルフ１４００）を含む、ショッピング・ページ・ウエブ・フアイルを含む。当業者には明らかなように、ヘルス１３００、ホーム１２１０、セルフ１４００は、Ｅコマース・ウエブ・サイト１０２と関連した個別のショッピング・ページ・ウエブ・フアイルを表しても良い。本発明はこのようなショッピング・ページ・ウエブ・フアイルの３つに限定されず、他のショッピング・ページ・ウエブ・フアイルも含むことができる。このような他のショッピング・ページ・ウエブ・フアイルは、旅行関連製品及びスポーツ道具などを限定的ではなく含む他の形式の製品に関する。
　追加的に、マーケテイング・システムのＥコマースの登録されたユーザは、「会員パークス」１６００ページ・ウエブ・フアイルを訪問することができ、そしてここに記載された会員に利用可能ないくつかの特徴を探索できる。好ましくは、会員パークス・ページ・ウエブ・フアイルと関連したオンライン・フォームが、登録された顧客、会員、会員プラス及びＩＢＯに供給される。登録された顧客、会員、会員プラス、及びＩＢＯはオンライン・フォームにパーソナル情報を入力する。ハーソナル情報は、例えば、図１６−１９「私のビジネス」に関してより詳細に後で説明されるように、好ましくはサーバー・コンピュータに記憶される。このパーソナル情報は、かれらのＥコマース環境をカスタマイズするために使用できる。ここで使用されるように、「会員パークス」及び「会員特典」又は「会員サービス」は、相互に交換可能に使用でき、当業者には類似の用語として解釈される。』）
　
（１ｂ）「　　　
In a preferred embodiment of the present invention, each different type, model and style of product offered for sale has a unique Stock Keeping Unit (SKU) number. Alternately, the SKU number may be referred to as anidentification numberassociated with the product or service. 
　
Software Implementation
　　　An exemplary software suite or platform is employed in the present invention for carrying out the particular E-Commerce transactions within the marketing system and between the participation categories as described herein above and the marketing company. An exemplary software suite for carrying out the present invention preferably includes the items listed below. However, it should be readily apparent to one skilled in the art that the present invention is not limited to any particular software suite or implementation : 
　
　・ 
Windows(R) NT Server 4
and containing the following exemplary software packages:
　
・ NT4 Option Pack (everything installed except Certificate Server);
　
・ Site Server v3.0, SP 1 (and SP 2 if SQL Server v7 is adopted);
　
・ Site Server Commerce Edition v3.0; 
　
・ SQL Server v7.0 (or SQL Server v6.5, SP5a);
　
・ FrontPage Extensions for Microsoft Internet Information Server;
　・ Microsoft Universal Data Access v2.1, SP 1;
　・ Disk-drive maintenance software (Executive Systems Diskeeper v4.0);
　・ Anti-virus software (including e-mail protection);
　・ Seagate Crystal Reports v7 (for the Web Report Service);
　・　Microsoft Encryption 128-bit security; and
　・　Visual Source Safe. 
　
　　　The development platform employed in the present invention preferably employs Windowscommat; NT Workstation 4 with SP 4 applied (NTFS file structure). In addition, it is preferred that the following software packages be installed on the server computer:
 
　・　Office 97 with SR-2;
　・　FrontPage 98 with SP1 ;
　・　Visual Studio 6 Enterprise Edition with SP 2 (install all options for SQL server development);
　・　Microsoft Universal Data Access v2.1 (SP 1 when available);
　・　NT Options Pack (everything installed except Microsoft Certificate Server);
　・　Outlook 98 and/or a compatible SMTP e-mail Client;
　・　Anti-virus software; and
　・　Seagate Crystal Reports v7 (Report Designer Component). 
　
　　　
The following exemplary client hardware and operating systems represent the minimum browser system requirements for accessing the E-Commerce Web site according to the present invention:
　
・　640 x 480 resolution;
　
・　256 colors;
　
・　Microsoft Internet Explorer 4.0 and Netscapecommat; 4.0 or higher browsers; and
　
・　JavaScript (R) and Java(R); program execution enabled.
　　
・・・（中略）・・・
　
　　　
There are eight preferred components for the individual page web files or sites of the present invention (as shown in Fig. 1). 
　・　E-Commerce Main;
　・　My Home ;
　・　My Health ;
　・　My Self (My Home, My Health, and My Self could alternately be referred to asExclusive Stores);
　・　Member Perks;
　・　Customer Service;
　・　Store for More
　・　Virtual Office ; and
　・　Income options
　　　
Supporting these sites requires the availability of content deployment that preferably includes the following exemplary items:
　・　Catalog content;　
　
・　Price and product content;
　・　Educational content;
　・　Discussion content;
　・　Promotional/Merchandizing content;
　・　Customer Support content;
　・　Marketing company business content;
　・　Personalization content;
　・　Independent Business Owner content; and
　・　Merchant or Merchant Partner content」（第６６頁第７行乃至第７１頁第２６行。なお上記「(R)」は、○で囲まれたRを表す。）
　
（訳：「　
本発明の好適な実施の形態では、販売のために提供される製品の異なるタイプ、モデル、スタイルの各々は、独特なストック・キーピング・ユニット（ＳＫＵ）番号を有する。この代りに、ＳＫＵ番号は、製品又はサービスに関連した識別番号と呼ばれる。
　
ソフトウエア構成
　本発明では、上記したマーケテイング・システム内及び参加レベル間及びマーケテイング会社との間で特定の電子商取引を実施するために、例示的なソフトウエアの一揃い又はプラットホームが使用される。本発明を実施するための例示的なソフトウエアの一揃いは、好ましくは、以下にリストした項目を含む。しかし、当業者には明らかなように、本発明はどんな特定のソフトウエアの一揃い及び構成に限定されない。
　
・以下の例示的ソフトウエア・パッケージを含み、ＳＰ４アプライド（ＮＴＦＳフアイル・システム）と共に
ウインドウズ（登録商標）ＮＴサーバー４・ＮＴ４オプション・パック（認証サーバー除いて全てインストールされる）
・サイト・サーバーｖ３．０，ＳＰ１（もしＳＱＬサーバーｖ７が採用されると、ＳＰ２も）
・サイト・サーバー・コマース・エデイションｖ３．０
・ＳＱＬサーバーｖ７．０（又はＳＱＬサーバーｖ６．５，ＳＰ５ａ）
・マイクロソフト・インターネット・インフオメーション・サーバーのためのフロントページ・エクステンション
・マイクロソフト・ユニバーサル・データ・アクセスｖ２．１，ＳＰ１
・デイスク・ドライブ・メインテナンス・ソフトウエア（エクゼクテイブ・システム・デイスキーパーｖ４．０）
・アンチ・ビールス・ソフトウエア（Ｅメール保護を含む）
・シーゲイト・クリスタル・レポートｖ７（ウエブ・レポート・サービスについて）
・マイクロソフト・エンクリプション１２８ビット・セキュリテイ
・ビジュアル・ソース・セーフ
　
　本発明に使用される開発プラットホームは、好ましくは、ＳＰ４アプライド（ＮＴＦＳフアイル・システム）と共にウインドウズ（登録商標）ＮＴワークステーション４を使用する。これに加えて、サーバー・コンピュータ上に以下のソフトウエア・パッケージが導入されることが好ましい。
　
・ＳＲ−２と共にオフイス９７
・ＳＰ１と共にフロントページ９８
・ＳＰ２と共にビジュアル・スタジオ６エンタープライズ・エデイション（ＳＱＬサーバー開発についての全てのオプションを導入）
・マイクロソフト・ユニパーサル・データ・アクセスｖ２．１（入手可能ならばＳＰ１）
・ＮＴオプション・パック（マイクロソフト認証サーバーを除く全てを導入）
・アウトルック９８及び／又は互換ＳＭＴＰＥメール・クライアント
・アンチ・ビールス・ソフトウェア
・シーゲート・クリスタル・レポートｖ７（レポート・デザイナー・コンポーネント）
　
　
以下の例示的なクライアント・ハードウエア及びオペレーテイング・システムは、本発明によるＥコマース・ウエブ・サイトをアクセスするためにコツような最小のブラウザー・システムを表す。
・６４０ｘ４８０解像度
・２５６色
・マイクロソフト・インターネット・エクスプローラ４．０及びネットスケープ（登録商標）４．０又はそれ以上のブラウザー
・ジャバスクリプト（登録商標）及びジャバ（登録商標）プログラム実行可能であること。
　
・・・（中略）・・・
　
　
本発明の個別のページ・ウエブ・フアイル又はサイトのために８つの好ましいコンポーネントがある（図１に示される）。
・Ｅコマース・メイン
・「私の家」
・「私の健康」
・「私自身」（私の家、私の健康、及び私自身は代替的に「排他的店」と呼ぶことができる）
・会員パークス
・顧客サービス
・「より多くの店」
・「仮想オフイス」
・「収入選択」
　
これらのサイトを支援するには、以下の例示的項目を好ましくは含む、コンテンツ配列を利用可能でなければならない。
・カタログ・コンテンツ
・価格及び製品コンテンツ
・言語コンテンツ
・教育的コンテンツ
・議論コンテンツ
・プロモーショナル／取り引きコンテンツ
・顧客支援コンテンツ
・マーケテイング会社ビジネス・コンテンツ
・パソナライゼーション・コンテンツ
・独立ビジネス所有者コンテンツ
・商人又は商人パートナー・コンテンツ」
　
（１ｃ）「　　　WWW shoppers are also preferably able to search and add to their shopping cart specific product SKUs, or identification numbers. This search feature takes the consumer to the associated product page. Here, the consumer finds, for example, a product picture, description, educational and use content, as well as price. An icon in the general navigational menu also allows them to add the item to their standing order (based on membership type). From the main product page, users can click to other main product pages for products in the same category. 
　　　Shown in Fig. 9, a product list 90 is used for product browsing and shopping. Product list 90 is preferably built and maintained at the server computer. A preferred product list 90 includes, for example, but is not limited to, a product name 90a and price 90b, and PV 90c and BV 90d for each product. In a preferred embodiment, only IBOs will see PV 90c and BV 90d for each product. Clients preferably see an additional piece of information called Member cost 90e. Member cost 90e is used to entice the Client to become a registered Member. Member cost 90e is typically less than a retail price paid by the Client (Member Cost 90e less than Your Cost 90b). As shown, a product image link 90f is also provided. Product image link 90f preferably provides a link to a product image and detail page (not shown) which preferably includes a picture and details about the specific product. A link,View Next 25 Products90g, is also provided which allows the user to view the next 25 items appearing in product list 90 via the user's browser. 
　　　Again referring to Fig. 9, in order to select a product for purchase, a user fills in a quantity 92 on product list 90. Upon selecting the quantities for purchase for a plurality of products, the user can then initiate the Add to Basket link 94, by double clicking a mouse, for example, to add the selected products to a shopping basket. 
　　　
An exemplary shopping basket display page 110 is shown in Fig. 10. As can be seen in Fig. 10, shopping basket display page 110 includes information about particular products and services selected for purchase including, but not limited to, quantity 110a, SKU 110b, product name 110c, PV 110d, BV 110e, Member cost 110f, Your cost 110g, and total price 110h. Preferably, Member cost 110f is only available to Clients from shopping basket page 110.
　　　Shopping basket page 110 preferably includes additional links toReturn 113,Continue Checkout115, andStanding Order116. By choosing Return 113, the user is returned to the preceding page from which the user chose to view shopping basket page 110. Exemplary preceding pages could include but is not limited to, for example, a product image and detail page or the product list page of Fig. 9. By choosing Continue Checkout 115, the user is presented with Shipping info (see below). If the user has not authenticated at the time of choosing Continue Checkout 115, then the user is forwarded to a login/create new user page (not shown).
　　　
By choosing Standing Order 116, the user is forwarded to a screen that allows the user to create a new standing order profile. Typically, a standing order profile allows a user to set up an automated order system that sends products and/or services to the user at regular intervals, which are selected by the user. Such standing orders provide an efficient method for establishing long-term orders of products and/or services from the marketing system. All items in shopping basket page 110 are placed in the new profile. User then has the option of removing items from the newly created profile.
　
（訳：『　ＷＷＷ買い手はまた、好ましくは、特定の製品ＳＫＵ又は識別番号を探索して、彼等の買い物カートの中に加えることができる。この探索機能は、顧客を関連する製品ページに連れて行く。ここで、顧客は、例えば、製品写真、説明、教育的及び使用コンテンツ、及び価格を見つける。一般ナビゲーション・メニュー内のアイコンはまた、品目をユーザの継続注文に加えることを可能にする（会員資格に基づいて）。主製品ページから、ユーザは同じカテゴリー内の製品の他の主製品ページをクリックできる。
　図９に示すように、製品リスト９０は、製品閲覧と買い物に使用できる。製品リスト９０は好ましくは、サーバー・コンピュータにおいて作られ、維持される。好ましい製品リスト９０は、限定的ではなく、例えば、各製品について、製品名９０ａ及び価格９０ｂ、及びＰＶ９０ｃ及びＢＶ９０ｄを含む。好適な実施の形態では、ＩＢＯのみが各製品についてのＰＶ９０ｃ及びＢＶ９０ｄを見る。顧客は好ましくは、会員コスト９０ｅと呼ばれる追加の情報を見る。会員コスト９０ｅは、登録会員になるように顧客を勧誘するのに使用される。会員コスト９０ｅは、典型的に、顧客により支払われる小売価格よりも安い（会員コスト９０ｅはあなたのコスト９０ｂよりも安い）。図示されるように、製品イメージ・リンク９０ｆが設けられる。製品イメージ・リンク９０ｆは、好ましくは、特定の製品に関する詳細と写真を好ましくは含む製品イメージ及び詳細ページ（図示しない）へのリンクを提供する。リンク「次２５製品を見る」９０ｇは、ユーザのブラウザーを介して製品リスト９０に次の２５品目を出現させて、ユーザが見ることを可能にする。
　再び図９を参照すると、購入のために製品を選択するため、ユーザは、製品リスト９０上の量９２を入力する。複数の製品の購入のために量を選択すると、ユーザは、例えば、マウスをダブル・クリックすることにより、バスケットへ追加リンク９４を開始でき、選択された製品を買い物バスケットに加える。
　
図１０に、例示的な買い物バスケット表示ページが示される。図１０に示されるように、買い物バスケット表示ページ１１０は、購入のために選択された特定の製品及びサービスについての情報、量１１０ａ、ＳＫＵ１１０ｂ、製品名１１０ｃ、ＰＶ１１０ｄ、ＢＶ１１０ｅ、会員コスト１１０ｆ、あなたのコストね１１０ｇ、及び全価格１１０ｈを、限定的ではなく、含む。
　買い物バスケット・ページ１１０は、好ましくは、「戻り」１１３、「チエックアウトを続ける」１１５、及び「継続注文」１１６への追加的なリンクを含む。戻り１１３を選ぶことにより、ユーザーは、ユーザが買い物バスケット・ページ１１０を見るために選んだページから前のページに戻る。例示的な前のページは、例えば、限定的ではなく、図９の製品リスト・ページ又は製品イメージ及び詳細ページを含む。チェックアウトを続ける１１５を選択することにより、ユーザは買い物情報（以下を参照）を表示される。もし、ユーザがチェックアウトを続ける１１５の時間に認証されなければ、ユーザは、ログイン／生成新ユーザ・ページに転送される。
　
継続注文１１６を選択すると、ユーザは、新しい継続注文プロフイールを作ることができるスクリーンに転送される。典型的に、継続注文プロフイールは、ユーザにより選択される規則的な間隔でユーザに製品及び／又はサービスを発送する自動注文システムを設定することを可能にする。このような継続注文は、マーケテイング・システムから長期間の製品及び／又はサービスの注文を設定するための効率的な方法を提供する。買い物バスケット・ページ１１０内の全ての品目は、新しいプロフイール内に置かれる。そして、ユーザは、新しく生成されたプロフイールから品目を取除く選択を有する。
　
（１ｄ）「　　　
As part of the delivery information, the Web consumer also has the option of indicating whether an order should be sent as a gift. This means the order will be shipped without an invoice containing pricing information. Otherwise, the order will generally be shipped with an invoice which is a computerized printout of an order issued to an IBO.
　
（訳：「　
配達情報の一部として、ウエブ消費者はまた注文が贈り物として送付されるべきかを指示する選択を有する。これは注文品が価格情報を含む送り状無しに発送されることを意味する。そうでなければ、注文品は一般にＩＢＯへ発行される注文のコンピュータ・プリントアウトの送り状と共に発送される。
　
　上記摘記事項（１ａ）、上記摘記事項（１ｂ）、上記摘記事項（１ｃ）及び上記摘記事項（１ｄ）によれば、引用文献１には、以下の構成が記載されているといえる。
　
（ア）上記摘記事項（１ａ）の「本発明のシステム及び方法　図１に、本発明の実施の形態が概略的に示されている。本発明は好ましくはマーケテイング会社１００及びＥコマース（Ｅ−Ｃｏｍｍ）ウエブ・サイト１０２の間の直接リンクを含む。Ｅコマース・ウエブ・サイト１０２は、好ましくは会員資格又は買い手又はユーザの登録レベル又は属性に依存して、買い手又はユーザに異なるように表示される。」の記載及び上記摘記事項（１ｂ）の「　ウインドウズ（登録商標）ＮＴサーバー４・ＮＴ４オプション・パック（認証サーバー除いて全てインストールされる）・サイト・サーバーｖ３．０，ＳＰ１（もしＳＱＬサーバーｖ７が採用されると、ＳＰ２も）・サイト・サーバー・コマース・エデイションｖ３．０・ＳＱＬサーバーｖ７．０（又はＳＱＬサーバーｖ６．５，ＳＰ５ａ）・マイクロソフト・インターネット・インフオメーション・サーバーのためのフロントページ・エクステンション・・・（中略）・・・以下の例示的なクライアント・ハードウエア及びオペレーテイング・システムは、本発明によるＥコマース・ウエブ・サイトをアクセスするためにコツような最小のブラウザー・システムを表す。・６４０ｘ４８０解像度・２５６色・マイクロソフト・インターネット・エクスプローラ４．０及びネットスケープ（登録商標）４．０又はそれ以上のブラウザー・ジャバスクリプト（登録商標）及びジャバ（登録商標）プログラム実行可能であること。」の記載によれば、当該「方法」は、当該「マイクロソフト・インターネット・エクスプローラ４．０及びネットスケープ（登録商標）４．０又はそれ以上のブラウザー」が利用する「インターネット」を経て行われる当該「Ｅコマース・ウエブ・サイト」が提供する「Ｅコマース」のための方法であり、当該「方法」において、当該「インターネット」が、当該「クライアント・ハードウェア」に配置された当該「ブラウザー・システム」と当該「インターネット」を介して通信することができる当該「ウインドウズ（登録商標）ＮＴサーバー４・ＮＴ４オプション・パック（認証サーバー除いて全てインストールされる）・サイト・サーバーｖ３．０，ＳＰ１（もしＳＱＬサーバーｖ７が採用されると、ＳＰ２も）・サイト・サーバー・コマース・エデイションｖ３．０・ＳＱＬサーバーｖ７．０（又はＳＱＬサーバーｖ６．５，ＳＰ５ａ）・マイクロソフト・インターネット・インフオメーション・サーバーのためのフロントページ・エクステンション」を動作させるサーバーコンピュータを接続するものと解することができる。
　
　また、上記摘記事項（１ｃ）の「継続注文１１６を選択すると、ユーザは、新しい継続注文プロフイールを作ることができるスクリーンに転送される。典型的に、継続注文プロフイールは、ユーザにより選択される規則的な間隔でユーザに製品及び／又はサービスを発送する自動注文システムを設定することを可能にする。」の記載によれば、上記サーバーコンピュータの当該「自動注文システム」は、当該「ユーザ」から当該「スクリーン」を介して得られた当該「継続注文プロフイール」を作成するための情報である当該「設定」のためのデータに基づいて、当該「継続注文プロフィール」を生成するものと解することができる。
　
　また、上記「方法」は、上記「Ｅコマース・ウエブ・サイト」に上記「サーバーコンピュータ」を備えることにより、上記「継続注文」を行うシステムを実施するものと解することができる。
　
　したがって、上記（ア）、上記摘記事項（１ａ）、上記摘記事項（１ｂ）及び上記摘記事項（１ｃ）によれば、引用文献１には、「インターネットを経て行われるＥコマースを行うための方法であって、上記インターネットがクライアント・ハードウェアに配置されたブラウザー・システムと上記インターネットを介して通信することができるサーバーコンピュータを接続し、上記サーバーコンピュータが継続注文プロフィールを生成する自動注文システムを備えた継続注文を行うシステムを実施する方法」が記載されているといえる。
　
（イ）上記摘記事項（１ｃ）の「継続注文１１６を選択すると、ユーザは、新しい継続注文プロフイールを作ることができるスクリーンに転送される。典型的に、継続注文プロフイールは、ユーザにより選択される規則的な間隔でユーザに製品及び／又はサービスを発送する自動注文システムを設定することを可能にする。」の記載によれば、上記（ア）の「サーバーコンピュータ」は、当該「継続注文」の「設定」のためのデータ、すなわち「設定」データを含む要求を受け取る段階を備えるものと解することができる。
　
　したがって、上記摘記事項（１ｃ）によれば、引用文献１には、「上記サーバーコンピュータが、継続注文の設定データを含む要求を受け取る段階を備え」ることが記載されているといえる。
　
（ウ）上記摘記事項（１ｂ）の「本発明の好適な実施の形態では、販売のために提供される製品の異なるタイプ、モデル、スタイルの各々は、独特なストック・キーピング・ユニット（ＳＫＵ）番号を有する。この代りに、ＳＫＵ番号は、製品又はサービスに関連した識別番号と呼ばれる。」及び上記摘記事項（１ｃ）の「図１０に、例示的な買い物バスケット表示ページが示される。図１０に示されるように、買い物バスケット表示ページ１１０は、購入のために選択された特定の製品及びサービスについての情報、量１１０ａ、ＳＫＵ１１０ｂ、製品名１１０ｃ、ＰＶ１１０ｄ、ＢＶ１１０ｅ、会員コスト１１０ｆ、あなたのコストね１１０ｇ、及び全価格１１０ｈを、限定的ではなく、含む。・・・（中略）・・・典型的に、継続注文プロフイールは、ユーザにより選択される規則的な間隔でユーザに製品及び／又はサービスを発送する自動注文システムを設定することを可能にする。」の記載によれば、上記（イ）の「継続注文」には、当該「購入のために選択」された「製品及びサービス」の「ＳＫＵ」、すなわち当該「識別番号」と、当該「製品及びサービス」を「発送」するための「規則的な間隔」及び当該「製品及びサービス」の「量」とを含むものと解することができる。
　
　そして、引用文献１の図１０の記載からみて、上記「購入のために選択」された「製品及びサービス」は複数であるものと解することができる。
　
　また、上記摘記事項（１ａ）の「Ｅコマース・ウエブ・サイト１０２は、好ましくは会員資格又は買い手又はユーザの登録レベル又は属性に依存して、買い手又はユーザに異なるように表示される。」の記載及び上記摘記事項（１ｂ）の「本発明の個別のページ・ウエブ・フアイル又はサイトのために８つの好ましいコンポーネントがある（図１に示される）。・・・（中略）・・・これらのサイトを支援するには、以下の例示的項目を好ましくは含む、コンテンツ配列を利用可能でなければならない。・・・（中略）・・・価格及び製品コンテンツ」の記載によれば、上記「購入のために選択」された「製品及びサービス」は、上記（ア）の「インターネット」を介してアクセス可能な当該「Ｅコマース・ウエブ・サイト」の当該「ページ・ウエブ・フアイル」を介して売買されるものと解することができる。
　
　したがって、上記（ア）、上記摘記事項（１ａ）、上記摘記事項（１ｂ）及び上記摘記事項（１ｃ）によれば、引用文献１には、「上記継続注文は、購入のために選択された複数の製品及びサービスの識別番号と、当該複数の製品及びサービスを発送するための規則的な間隔と、当該複数の製品及びサービスの量とを含み、上記複数の製品及びサービスは、上記インターネットを介してアクセス可能なＥコマース・ウエブ・サイトのページ・ウエブ・ファイルを介して売買され」ることが記載されているといえる。
　
（エ）上記摘記事項（１ｃ）の「継続注文１１６を選択すると、ユーザは、新しい継続注文プロフイールを作ることができるスクリーンに転送される。典型的に、継続注文プロフイールは、ユーザにより選択される規則的な間隔でユーザに製品及び／又はサービスを発送する自動注文システムを設定することを可能にする。このような継続注文は、マーケテイング・システムから長期間の製品及び／又はサービスの注文を設定するための効率的な方法を提供する。買い物バスケット・ページ１１０内の全ての品目は、新しいプロフイール内に置かれる。そして、ユーザは、新しく生成されたプロフイールから品目を取除く選択を有する。」の記載によれば、当該「継続注文」を行う「自動注文システム」は、上記（イ）の「要求」の受け取りに応答して、当該「継続注文プロフィール」を発生する段階を備え、当該「継続注文プロフィール」は上記（イ）の「継続注文の設定データ」を含み、上記（ア）の「サーバーコンピュータ」は、当該「自動注文システム」を用いて当該「継続注文」を上記（イ）の「規則的な間隔」に基づき自動的に継続するものと解することができる。
　
　また、上記摘記事項（１ｄ）の「配達情報の一部として、ウエブ消費者はまた注文が贈り物として送付されるべきかを指示する選択を有する。これは注文品が価格情報を含む送り状無しに発送されることを意味する。そうでなければ、注文品は一般にＩＢＯへ発行される注文のコンピュータ・プリントアウトの送り状と共に発送される。」の記載によれば、上記（ア）の「サーバーコンピュータ」は、「贈り物」であることに応じて当該「発送」に伴う処理を行うものと解することができる。
　
　したがって、上記（ア）、上記（イ）、上記摘記事項（１ｃ）及び上記摘記事項（１ｄ）によれば、引用文献１には、「上記継続注文を行う自動注文システムが、上記要求の受け取りに応答して、上記継続注文プロフィールを発生する段階を更に備え、上記継続注文プロフィールは上記継続注文の設定データを含み、上記サーバーコンピュータが、上記継続注文を上記規則的な間隔に基づき自動的に継続し、贈り物であることに応じて当該発送に伴う処理を行う」ことが記載されているといえる。
　
（引用文献１発明）
　
　したがって、上記（ア）乃至上記（エ）を考慮して、上記摘記事項（１ａ）、上記摘記事項（１ｂ）、上記摘記事項（１ｃ）及び上記摘記事項（１ｄ）の記載を総合すると、引用文献１には、次の発明（以下、「引用文献１発明」という。）が記載されているといえる。
　
「　インターネットを経て行われるＥコマースを行うための方法であって、上記インターネットがクライアント・ハードウェアに配置されたブラウザー・システムと上記インターネットを介して通信することができるサーバーコンピュータを接続し、上記サーバーコンピュータが継続注文プロフィールを生成する自動注文システムを備えた継続注文を行うシステムを実施する方法において、
　上記サーバーコンピュータが、継続注文の設定データを含む要求を受け取る段階を備え、
　上記継続注文は、購入のために選択された複数の製品及びサービスの識別番号と、当該複数の製品及びサービスを発送するための規則的な間隔と、当該複数の製品及びサービスの量とを含み、上記複数の製品及びサービスは、上記インターネットを介してアクセス可能なＥコマース・ウエブ・サイトのページ・ウエブ・ファイルを介して売買され、
　上記継続注文を行う自動注文システムが、上記要求の受け取りに応答して、上記継続注文プロフィールを発生する段階を更に備え、上記継続注文プロフィールは上記継続注文の設定データを含み、上記サーバーコンピュータが、上記継続注文を上記規則的な間隔に基づき自動的に継続し、贈り物であることに応じて当該発送に伴う処理を行うことを特徴とする方法。」
　
（３）本願発明と引用文献１発明との対比
　
　本願発明と引用文献１発明とを対比する。
　
　引用文献１発明の「インターネットを経て行われるＥコマースを行うための方法」は、当該方法による注文の自動化によって電子商取引が容易となるから、本願発明の「ネットワークを経て行われる電子商取引を容易にするための方法」に相当する。
　
　また、引用文献１発明の「上記インターネットがクライアント・ハードウェアに配置されたブラウザー・システムと上記インターネットを介して通信することができるサーバーコンピュータを接続し」は、当該「ブラウザー・システム」と当該「サーバーコンピュータ」はネットワークに備えられた通信装置であるから、本願発明の「上記ネットワークがリモートクライアントコンピュータに配置されたブラウザシステムと上記ネットワークを介して通信することのできる少なくとも１つのサーバーコンピュータを備え」に相当する。
　
　また、引用文献１発明の「上記サーバーコンピュータが継続注文プロフィールを生成する自動注文システムを備えた継続注文を行うシステムを実施する方法」は、当該「継続注文を行うシステム」が設定された規則的な間隔に基づいて注文を繰り返しているから、本願発明の「上記少なくとも１つのサーバーコンピュータがプロフィール発生器を有する反復オーダー管理システムを実施している方法」に相当する。
　
　また、引用文献１発明の「上記サーバーコンピュータが、継続注文の設定データを含む要求を受け取る段階を備え」は、当該「設定データ」が注文及び発送に係るユーザからの指示内容であるから、本願発明の「上記少なくとも１つのサーバーコンピュータが、１つのオーダーを表すデータを含む要求を受け取る段階を備え」に相当する。
　
　また、引用文献１発明の「上記継続注文は、購入のために選択された複数の製品及びサービスの識別番号と、当該複数の製品及びサービスを発送するための規則的な間隔と、当該複数の製品及びサービスの量とを含み」は、本願発明の「上記オーダーは、複数の製品又はサービスのうちの１つ以上の製品又はサービスの識別子と、該１つ以上の製品又はサービスの各々に対するオーダー反復パターンと、上記１つ以上の製品又はサービスの各々の量とを含み」に相当する。
　
　また、引用文献１発明の「上記複数の製品及びサービスは、上記インターネットを介してアクセス可能なＥコマース・ウエブ・サイトのページ・ウエブ・ファイルを介して売買され」は、本願発明の「上記複数の製品又はサービスは、上記ネットワークを介してアクセス可能な１つのウェブサイトの複数の電子商取引システム製品又はサービスのウェブファイルのそれぞれ１つを介して売買され」に相当する。
　
　また、引用文献１発明の「上記継続注文を行う自動注文システムが、上記要求の受け取りに応答して、上記継続注文プロフィールを発生する段階を更に備え」は、本願発明の「上記プロフィール発生器が、上記要求の受け取りに応答して、プロフィールデータ構造体を発生する段階を更に備え」に相当する。
　
　また、引用文献１発明の「上記継続注文プロフィールは上記継続注文の設定データを含み」は、本願発明の「上記プロフィールデータ構造体は、上記オーダーを表すデータを含み」に相当する。
　
　そして、本願発明の「上記少なくとも１つのサーバーコンピュータが、上記オーダーを上記オーダー反復パターンに基づき自動的に１回以上反復させ、各反復によって上記オーダーが遂行され、上記少なくとも１つのサーバーコンピュータが、上記想起メッセージを上記想起仕様に基づいて自動的に１回以上送信する」と引用文献１発明の「上記サーバーコンピュータが、上記継続注文を上記規則的な間隔に基づき自動的に継続し、贈り物であることに応じて当該発送に伴う処理を行う」とは、後記の点で相違するものの、共に「上記少なくとも１つのサーバーコンピュータが、上記オーダーを上記オーダー反復パターンに基づき自動的に１回以上反復させ、各反復によって上記オーダーが遂行され、上記少なくとも１つのサーバーコンピュータが、当該遂行に伴う処理を行う」点で共通する。
　
　したがって、両者は、
　
（一致点）
　
「　ネットワークを経て行われる電子商取引を容易にするための方法であって、上記ネットワークがリモートクライアントコンピュータに配置されたブラウザシステムと上記ネットワークを介して通信することのできる少なくとも１つのサーバーコンピュータを備え、上記少なくとも１つのサーバーコンピュータがプロフィール発生器を有する反復オーダー管理システムを実施している方法において、
　（ａ）上記少なくとも１つのサーバーコンピュータが、１つのオーダーを表すデータを含む要求を受け取る段階を備え、上記オーダーは、複数の製品又はサービスのうちの１つ以上の製品又はサービスの識別子と、該１つ以上の製品又はサービスの各々に対するオーダー反復パターンと、上記１つ以上の製品又はサービスの各々の量とを含み、上記複数の製品又はサービスは、上記ネットワークを介してアクセス可能な１つのウェブサイトの複数の電子商取引システム製品又はサービスのウェブファイルのそれぞれ１つを介して売買され、そして
　（ｂ）上記プロフィール発生器が、上記要求の受け取りに応答して、プロフィールデータ構造体を発生する段階を更に備え、上記プロフィールデータ構造体は、上記オーダーを表すデータを含み、上記少なくとも１つのサーバーコンピュータが、上記オーダーを上記オーダー反復パターンに基づき自動的に１回以上反復させ、各反復によって上記オーダーが遂行され、上記少なくとも１つのサーバーコンピュータが、当該遂行に伴う処理を行うことを特徴とする方法。」
　
である点で一致し、以下の点で相違する。
　
（相違点）
　
　遂行に伴う処理が、
　
　本願発明では、想起メッセージを想起仕様に基づいて自動的に１回以上送信する処理であり、そのため、
　オーダーは、更に、少なくとも１つのコンテンツを定めた想起メッセージのための想起仕様を表すデータを含むのに対し、
　
　引用文献１発明では、贈り物であることに応じた処理であり、そのため、
　オーダーは、上記のように構成されていない点。
　
（４）相違点についての判断
　
　例えば、原査定の拒絶理由において提示された特開平１０−２０７９４０号公報等にみられるように、贈り物のための発注に伴う処理として、メッセージの書式に基づいてメッセージを送ることは、周知技術である。
　
　してみると、引用文献１発明において、上記周知技術を適用し、贈り物であることに応じた処理として、想起メッセージを想起仕様に基づいて送る処理を採用することは、当業者であれば適宜になし得るものである。
　
　そして、引用文献１発明において、上記周知技術を適用し、各反復によってオーダーが遂行される際に、贈り物であることに応じた処理として、想起メッセージを想起仕様に基づいて送る処理を採用するのであれば、当該送る処理として、自動的に１回以上送信する処理を採用することは、当業者であれば適宜になし得る設計事項にすぎない。
　
　また、引用文献１発明において、上記周知技術を適用し、各反復によってオーダーが遂行される際に、贈り物であることに応じた処理として、想起メッセージを想起仕様に基づいて自動的に１回以上送信する処理を採用するのであれば、そのため、オーダーは、更に、少なくとも１つのコンテンツを定めた想起メッセージのための想起仕様を表すデータを含むことは、当業者であれば当然なし得るものである。
　
　したがって、相違点に係る本願発明の構成は、引用文献１発明及び周知技術に基づいて、当業者が容易に想到し得たものである。
　
　そして、本願発明の作用効果も、引用文献１発明及び周知技術から当業者が予測できる範囲のものである。
　
（５）結論
　
　よって、本願発明は、引用文献１発明及び周知技術に基づいて、当業者が容易に発明をすることができたものであるから、特許法第２９条第２項の規定により特許を受けることができないものである。
　
４．むすび
　
　上記のとおり、本願の請求項１に係る発明が、引用文献１発明及び周知技術に基づいて、当業者が容易に発明をすることができたものであり、特許法第２９条第２項の規定により特許を受けることができないため、本願の他の請求項に係る発明について検討するまでもなく、本願は拒絶すべきものである。
　
　よって，結論のとおり審決する。